(57)【要約】  干渉を低減する方法および装置が提供されている。方法は、局（ＳＴＡ）から干渉インジケータを受信することと、干渉インジケータからサービス期間の終了時間を決定することを含み得る。方法は、サービス期間の終了時間に、またはサービス期間の終了時間の前にサービス期間を終了させることと、サービス期間の終了時間にサービス期間の終了を決定することをさらに含み、ここにおいて、干渉インジケータは、サービス期間の終了時間、またはＳＴＡにおける１つ以上の干渉の開始時間のスケジュールのための時間インジケーションを備える。
2013541292.tif 000002
【特許請求の範囲】
【請求項１】
局（ＳＴＡ）から干渉インジケータを受信することと、
前記干渉インジケータからサービス期間の終了時間を決定すること
を備える、干渉を低減する無線通信の方法。
【請求項２】
前記サービス期間の終了時間に、または前記サービス期間の終了時間の前に、サービス期間を終了させることをさらに備える、請求項１に記載の方法。
【請求項３】
前記サービス期間の終了時間に、サービス期間の終了を決定することをさらに備える、請求項１に記載の方法。
【請求項４】
前記干渉インジケータは、前記サービス期間の終了時間のための時間インジケーションを備える、請求項１に記載の方法。
【請求項５】
前記時間インジケーションは、前記ＳＴＡにおける干渉より前の時間に、または同時に前記ＳＴＡによって決定される、請求項４に記載の方法。
【請求項６】
前記時間インジケーションは、トリガリング・フレームの送信に関連する時間期間を備える、請求項４に記載の方法。
【請求項７】
前記トリガリング・フレームは、Ｕ−ＡＰＳＤ共存フレームを含む、請求項６に記載の方法。
【請求項８】
前記時間インジケーションは、タイミング同期機能（ＴＳＦ）を備える、請求項４に記載の方法。
【請求項９】
前記干渉インジケータは、前記ＳＴＡにおける１つ以上の干渉の開始時間のスケジュールを備える、請求項１に記載の方法。
【請求項１０】
前記スケジュールは、
タイミング同期機能（ＴＳＦ）に関連するオフセットまたは、
前記１つ以上の前記干渉の開始時間の発生の間のインターバル
のうちの少なくとも１つを含む、請求項９に記載の方法。
【請求項１１】
トリガリング・フレームを受信することをさらに備える、請求項1に記載の方法。
【請求項１２】
前記干渉インジケータがそれから受信される前記ＳＴＡは、アクセス・ポイントを備える、請求項１に記載の方法。
【請求項１３】
コンピュータ・プログラム製品であって、
ＳＴＡから干渉インジケータを受信する、
前記干渉インジケータからサービス期間の終了時間を決定する
ために実行可能なコードを備えるコンピュータ可読媒体
を備える、コンピュータ・プログラム製品。
【請求項１４】
ＳＴＡから干渉インジケータを受信するための手段と、
前記干渉インジケータからサービス期間の終了時間を決定するための手段
を備える、無線通信のための装置。
【請求項１５】
処理システムと、
第１のＳＴＡから干渉インジケータを受信するように構成される受信機と、
前記干渉インジケータからサービス期間の終了時間を決定するように構成され、前記処理システムに結合されるサービス期間決定モジュール
を備える、無線通信のための装置。
【請求項１６】
前記サービス期間決定モジュールは、前記サービス期間の終了時間に、または前記サービス期間の終了時間の前に、サービス期間を終了させるようにさらに構成される、請求項１５に記載の装置。
【請求項１７】
前記サービス期間決定モジュールは、前記サービス期間の終了時間に、サービス期間の終了を決定するようにさらに構成される、請求項１５に記載の装置。
【請求項１８】
前記干渉インジケータは、前記サービス期間の終了時間のための時間インジケーションを備える、請求項１５に記載の装置。
【請求項１９】
前記時間インジケーションは、前記第１のＳＴＡにおける干渉より前の時間に、または同時に前記第１のＳＴＡによって決定される、請求項１８に記載の装置。
【請求項２０】
前記時間インジケーションは、トリガリング・フレームの送信に関連する時間期間を備える、請求項１８に記載の装置。
【請求項２１】
前記トリガリング・フレームは、Ｕ−ＡＰＳＤ共存フレームを含む、請求項２０に記載の装置。
【請求項２２】
前記時間インジケーションは、タイミング同期機能（ＴＳＦ）を備える、請求項１８に記載の装置。
【請求項２３】
前記干渉インジケータは、前記第１のＳＴＡにおける1つ以上の干渉の開始時間のスケジュールを備える、請求項１５に記載の装置。
【請求項２４】
前記スケジュールは、
タイミング同期機能（ＴＳＦ）に関連するオフセットまたは、
前記１つ以上の前記干渉の開始時間の発生の間のインターバル
のうちの少なくとも１つを含む、請求項２３に記載の装置。
【請求項２５】
前記サービス期間決定モジュールは、トリガリング・フレームを受信するようにさらに構成される、請求項１５に記載の装置。
【請求項２６】
前記装置は、第２のＳＴＡまたはアクセス・ポイントのうちの少なくとも１つを備える、請求項１５に記載の装置。
【発明の詳細な説明】
【優先権の主張】
【０００１】
[３５ Ｕ.Ｓ.Ｃ. §１１９のもとの優先権の主張]
本特許出願は、２０１０年９月２２日に出願され、「干渉を低減する、および／または衝突を回避する方法および装置（METHODS AND APPARATUS FOR REDUCING INTERFERENCE AND/OR AVOIDING COLLISIONS）」と題し、この譲受人に譲渡され、ここでの引用により、ここに明確に組み込まれる、米国仮特許出願番号第６１/３８５,４１６号の優先権を主張する。
【技術分野】
【０００２】
[0001] 本開示は、一般に通信システムに関し、より具体的には、干渉を低減することに関する。
【背景技術】
【０００３】
[0002] 無線通信システムに対して要求されている帯域幅の必要性の増加問題に対処するために、異なるスキームが、複数のユーザ端末に高データ・スループットを獲得しながらチャネル・リソースを共有することによって通信することができるように開発されている。異なる無線技術は、米国電気電子学会（ＩＥＥＥ）８０２．１１規格のようないくつかの新たな無線通信規格において導入されてきた。ＩＥＥＥ８０２．１１は、短距離通信用のＩＥＥＥ８０２．１１委員会（たとえば、数十メートルから数百メートル）、たとえば、８０２．１１ａｄ／ａｃ／ａ／ｂ／ｇ／ｎ／ｖ／ｚ、によって開発された無線ローカル・エリア・ネットワーク（ＷＬＡＮ）エア・インターフェース規格のセットを示す。
【０００４】
[0003] 一般に、ＩＥＥＥ８０２．１１規格によって指定された無線通信システムは、局（ＳＴＡｓ）とも呼ばれ、異なるデバイス間の通信を管理するアクセス・ポイント（ＡＰ）／パケット調整機能（ＰＣＦ）のような、中央エンティティ（central entity）を有する。中央エンティティを有することで、通信プロトコルの設計を簡略化することができる。さらに、ビーコン信号を送信することができる任意のデバイスは、ＡＰとしてサーブ（serve）し得るが、ＡＰが有効であるために、それは、ネットワークにおけるすべてのＳＴＡｓのために良いリンク品質を有する必要があり得る。
【０００５】
[0004] モバイル無線通信デバイス（ＷＣＤ）（たとえば、ラップトップ、スマートフォン、ＳＴＡｓ、等）は、費用、電力、フォーム・ファクタ、等のような要因によって、従来のＡＰのそれよりも比較的低減された機能を有することができる。たとえば、アンテナ・ステアリング機能（antenna steering capability）が小さいセクタ境界に制限され得る、利用可能な電力が制限され得る、位置が可変であり得る、等。たとえこれらの制限があっても、ＷＣＤｓは、サイド・ローディング（side-loading）、ファイル共有、等のような、さまざまな目的のためにピア・ツー・ピア・ネットワークを形成するためのＡＰｓとして実行することが要求され得る。
【０００６】
[0005] いくつかの態様において、それは、ＷＬＡＮ ＳＴＡおよびＡＰ間の通信における干渉を低減することが所望される。たとえば、ＷＬＡＮ ＳＴＡｓは、現在、ＳＴＡにおいて発生している周期的な干渉によって、サービス期間（ＳＰ：service period）の一部の間、パケットをアクセス・ポイント（ＡＰ）から受信することはできない。たとえば、そのような周期的な干渉は、異なる無線アクセス技術を使用するBluetooth（登録商標）モジュールおよび別のトランシーバのＳＴＡにおける同時並行処理（concurrent operation）によって引き起こされ得る。従って、改善された干渉シグナリングが、有益であり得る。
【発明の概要】
【０００７】
[0006]        以下は、１つ以上の態様の基本的な理解を提供するために、そのような態様の簡略化された概要を提示する。この概要は、考えられるすべての態様の広範囲な概観ではなく、すべての態様のキーまたは重要な要素を識別すること、あるいは、任意またはすべての態様の範囲を詳細に叙述することのどちらも意図していない。その唯一の目的は、後に提示されるより詳細な説明への前置きとして、簡略化された形態で１つ以上の態様のいくつかの概念を提示することである。
【０００８】
[0007] １つ以上の態様およびそれの対応する開示に従って、通信システムにおける干渉を低減することに関連したさまざまな態様が記述されている。方法は、局（ＳＴＡ）から干渉インジケータ（interference indicator）を受信することと、干渉インジケータからサービス期間の終了時間（service period end time）を決定することを備えることできる。
【０００９】
[0008] さらに、別の態様は装置に関する。装置は、ＳＴＡから干渉インジケータを受信するための手段と、干渉インジケータからサービス期間の終了時間を決定するための手段を含むことができる。
【００１０】
[0009] また、別の態様は、コンピュータ可読媒体を備えるコンピュータ・プログラム製品に関する。コンピュータ可読媒体は、ＳＴＡから干渉インジケータを受信するためのコードと、干渉インジケータからサービス期間の終了時間を決定するためのコードを含むことができる。
【００１１】
[0010] 別の態様は、通信するための装置に関する。装置は、処理システムを含むことができる。装置は、また、局（ＳＴＡ）から干渉インジケータを受信するように構成されるサービス期間決定モジュール（service period determination module）と、干渉インジケータからサービス期間の終了時間を決定するように構成されるサービス期間決定モジュールを含むことができる。
【００１２】
[0011] 前述の目的および関連する目的の達成のために、１つ以上の態様は、以下に十分に記述され、特に請求項において指摘されている特徴を備える。以下の記述および付属の図面は、１つ以上の態様のある特定の例示的な特徴を詳細に説明する。しかしながら、これらの特徴は、さまざまな態様の原理が適用され得るさまざまな手法のうちの極一部しか示しておらず、本記述は、そのような態様およびそれらと同等のものすべてを含むように意図されている。
【図面の簡単な説明】
【００１３】
[0012] 本発明のこれらおよび他の態様の例は、以下の詳細な説明、および添付図面に記述されている。
【００１４】
[0013] 
【図１】図１は、干渉シグナリングに関する態様を含む通信ネットワークの概略図である。
【００１５】
[0014] 
【図２】図２は、干渉シグナリングの方法のうちの１つの態様のフローチャートである。
【００１６】
[0015] 
【図３】図３は、干渉回避に関する通信ネットワーク中の時間で発生している周期的な干渉およびシグナリングを含むタイムラインである。
【００１７】
[0016] 
【図４】図４は、図１の無線通信デバイスのアーキテクチャのうちの１つの態様の概略図である。
【００１８】
[0017] 
【図５】図５は、図１のアクセス・ポイントのアーキテクチャのうちの１つの態様の概略図である。
【００１９】
[0018] 
【図６】図６は、さらに別の態様に従って、干渉を低減することができる例示的な通信システムのブロック図を例示する。
【００２０】
[0019] 一般的な実施に従って、図面のうちのいくつかは、明瞭さのために簡略化され得る。従って、図面は、所与の装置（たとえば、デバイス）または方法のコンポーネントのすべてを図示することはない。最後に、明細書および図面を通じて、同一のリファレンス番号は、同一の特徴を示すために使用され得る。
【詳細な説明】
【００２１】
[0020] 方法および装置のさまざまな態様は、添付図面を参照して以下により十分に記述されている。しかしながら、これらの方法および装置は、異なる多くの形態で具現化され、本開示を通じて提示された任意の特定の構造または機能に限定されると解釈されるべきではない。そうではなく、これらの態様は、本開示が完全かつ徹底されたものであり、当業者にこれらの方法および装置の範囲を十分に伝達できるように提供されている。本明細書における教示、本明細書における説明に基づいて、当業者は、本開示の範囲が、本開示の任意の他の態様と別々に実現されようと、組み合わせられようと、本明細書で開示された方法および装置の任意の態様をカバーするように意図されているということを理解すべきである。たとえば、本明細書で説明される任意の数の態様を使用して、装置が実現されることができ、方法が実施されることができる。さらに、本開示の範囲は、他の構造、機能、または、本明細書に説明される開示のさまざまな態様に追加された、またはそれ以外の構造および機能を使用して実施される、そのような装置または方法をカバーするように意図されている。本明細書の開示の任意の態様は、請求項の１つ以上の要素によって具現化され得ることを理解すべきである。
【００２２】
[0021] 無線ネットワークのいくつかの態様が、図１を参照してここで提示される。無線通信システム１００は、いくつかの無線ノードまたは局（たとえば、ＳＴＡｓ）と共に示されており、それらは、一般にノード１１０および１３０、アクセス・ポイント（ＡＰ）１２０、一般に、ＷＬＡＮデバイス、基地局、等と示されていて、ここにおいて、いくつかのノード１１０、１３０は、いくつかのネットワーク１１６、１２２に関連付けられたいくつかのプロトコル１１８、１２４を使用して通信することができる。ここで使用されるように、無線ノード１１０、１３０は、ＷＣＤ、ユーザ端末（ＵＥ）、ＳＴＡ、ラップトップ、等で呼ばれ得る。各無線ノードは、受信および／または送信することができる。以下の詳細な説明において、ダウンリンク通信の場合、「アクセス・ポイント」という用語は、送信ノードを示すために使用され、「アクセス端末」という用語は、受信ノードを示すために使用されるが、アップリンク通信の場合、「アクセス・ポイント」という用語は、受信ノードを示すために使用され、「アクセス端末」という用語は、送信ノードを示すために使用される。しかしながら、当業者は、他の専門用語または学術用語が、アクセス・ポイントおよび／またはアクセス端末のために使用され得ることを容易に理解するだろう。例として、アクセス・ポイントは、基地局、基地トランシーバ局、局、端末、ノード、アクセス・ポイントとして動作するアクセス端末、ＷＬＡＮデバイス、または何らかの他の適切な専門用語で呼ばれ得る。アクセス端末は、ユーザ端末、モバイル局、加入者局、局、無線デバイス、端末、ノード、または何らかの他の適切な専門用語で呼ばれ得る。本開示全体を通して説明されるさまざまな概念は、それらの特定の学術用語に関係なく、すべての適切な無線ノードに適用されるように意図される。
【００２３】
[0022] 無線通信システム１００は、地理的領域全体にわたって分散されたアクセス端末をサポートし得る。ＡＰ１２０は、アクセス端末の調整および制御だけでなく、他のネットワーク（たとえば、インターネット）へのアクセスを提供するためにも使用され得る。固定またはモバイルであり得る各ＳＴＡは、アクセス・ポイントのバックホール・サービスを利用する、または他のＳＴＡｓとのピア・ツー・ピア通信に従事する。ＳＴＡｓの例は、電話（たとえば、セルラ電話）、ラップトップ・コンピュータ、デスクトップ・コンピュータ、携帯情報端末（ＰＤＡ）、デジタル・オーディオ・プレイヤー（たとえば、ＭＰ３プレイヤー）、カメラ、ゲーム・コンソール、または任意の他の適切な無線ノードを含む。
【００２４】
[0023] 一態様において、各ＳＴＡ１１０および１３０およびアクセス・ポイント１２０は、ＳＴＡ１１０および／または１３０における周期的な干渉を回避することで、高度な通信のために構成され得る。一態様において、干渉は、限定はされないが、他のＳＴＡｓ、ＳＴＡに関連付けられた他のトランシーバ（たとえば、Bluetoothトランシーバ）、等のような、ソースによって発生し得る。以下の干渉回避の態様は、ＳＴＡ１３０を参照して図１において例示されているが、そのような態様は、システムにおけるＳＴＡ１１０または任意の他のＳＴＡにも同様に適用され得るということに注意されたい。また、この態様は、図３を参照して以下により詳しく記述されている。ＳＴＡ１１０のような各ＳＴＡは、１つ以上のＳＴＡｓ１１０および１３０を用いて通信セッション１２４を可能にすることを支援するために、アクセス・ポイント１２０上のサービス期間決定モジュール１３４と通信する干渉シグナリング・モジュール１３２を含み得る。特に、干渉シグナリング・モジュール１３２は、トリガ・フレーム（trigger frame）をアクセス・ポイント１２０に送信し、サービス期間決定モジュール１３４は、トリガ・フレームの到着タイミングに基づいて干渉までの残り時間を決定する。いくつかの態様において、トリガ・フレームは、また、サービス期間の開始時間を示す。一態様において、たとえば、ＳＴＡ１３０は、サービス期間（ＳＰ）決定モジュール１３４に、干渉スケジュール１３８を提供し、それは、ＳＴＡ１３０において、複数の周期的な干渉の各々の開始時間を定義し得る。その後、アクセス・ポイント１２０が、ＳＴＡ１３０から、不定期自動節電配信（Ｕ−ＡＰＳＤ：unscheduled asynchronous power save delivery）のトリガ・フレームのようなトリガ・フレームを受信し得る場合、サービス期間決定モジュール１３４は、サービス期間のために干渉までの残り時間の量を決定し得る。たとえば、サービス期間決定モジュール１３４は、トリガ・フレームの送信に対応するタイミングに基づいて干渉までの残り時間、および干渉スケジュール１３８に基づいて次の周期的な干渉のうちの１つが開始する前に残り時間の量を決定し得る。従って、サービス期間決定モジュール１３４は、干渉までの残り時間の間、対応するサービス期間（ＳＰ）を終了させることを試みることができる。一態様において、ＳＰ決定モジュール１３４が、ＳＰ終了フレームの成功送信（たとえば、サービス期間の終了（ＥＯＳＰ：End of Service Period）を有するフレームのビット・セット）等によって、次の周期的な干渉が開始する前にＳＰを明確に終了しない場合、ＳＴＡ１３０およびＡＰ１２０の両方は、次の周期的な干渉の開始においてＳＰを終了させると暗に仮定し得る。
【００２５】
[0024] 一態様において、干渉スケジュール１３８は、オフセットおよびインターバルに基づき得る干渉の開始時間を定義し得る。そのような一態様において、オフセットは、第１の干渉期間が生じる初期時間値「０」等において、タイミング同期機能（ＴＳＦ：Timing Synchronization Function）に関連したオフセットを示し得る。さらに、インターバルは、次の干渉の発生が開始するインターバルを示し得る。さらに、オフセットおよびインターバル・パラメータは、サービス期間決定モジュール１３４が、ＴＳＦの任意の時間値で干渉期間の開始を決定することを可能にし得る（たとえば、これらのパラメータは時間「０」でＴＳＦにおいて提供されることはない）。
【００２６】
[0025] 別の態様において、ＳＰ終了時間インジケータ１４６と呼ばれる干渉シグナリング・モジュール１３２は、ＳＰ決定モジュール１３４に、ＳＰが終了する場合に関連した時間インジケーションを提供し得る。そのような１つの態様において、ＳＰ終了時間インジケータ１４６は、ＳＴＡにおいて次の周期的な干渉の開始時間より前の時間を示し得る。さらに、たとえば、ＳＰ終了時間インジケータ１４６は、トリガ・フレームにおいて提供され得る。この態様において、サービス期間決定モジュール１３４が、ＳＴＡからＵ−ＡＰＳＤトリガ・フレームのようなトリガ・フレームを受信する場合、サービス期間決定モジュール１３４は、ＳＰ終了時間インジケータ１４６に基づいて、次の干渉の開始までの残り時間を決定し、次の干渉までの残り時間が終了する前にＳＰを終了させることを試みることができる。さらに、たとえば、（たとえば、次の干渉の発生の開始時間を示す）ＳＰ終了時間インジケータ１４６は、トリガ・フレームが送信される時間Ｔに関連する持続時間Ｄとして示され、または、それはタイミング同期機能（ＴＳＦ）値Ｅの観点で示され、ここでＥは、サービス期間の終了時間に対応する時間値である。さらに、たとえば、トリガ・フレームは、サービス期間の終了時間Ｅ（または持続時間Ｄ）を含むＵ−ＡＰＳＤ共存フレーム（U-APSD Coexistence frame）を含み得る、またはＵ−ＡＰＳＤ共存フレームであり得る。さらに、図３に図示される干渉は一定の周期性および持続時間を有するが、これは、ＳＰ終了時間インジケータ１４６がトリガ・フレームに含まれている場合のケースではない。
【００２７】
[0026] 以下の詳細な説明において、開示のさまざまな態様は、直交周波数分割多重（ＯＦＤＭ）、多入力多出力（ＭＩＭＯ）、等のような任意の適切な無線技術を参照して説明されるだろう。ＯＦＤＭは、「直交性」を提供するために、間隔をあけられる多数のサブキャリアにわたってデータを分散するスペクトラム拡散技法である。そのような間隔をあけることは、受信機が、サブキャリアからデータを復元することを可能にする。ＯＦＤＭシステムは、ＩＥＥＥ ８０２．１１、または何らかの他のエア・インターフェース規格を実現し得る。他の適切な無線技術は、例として、符号分割多元接続（ＣＤＭＡ）、時間分割多元接続（ＴＤＭＡ）、または任意の他の適切な無線技術、または適切な無線技術の任意の組み合わせを含む。ＣＤＭＡシステムは、ＩＳ−２０００、ＩＳ−９５、ＩＳ−８５６、広帯域−ＣＤＭＡ（ＷＣＤＭＡ（登録商標））、または何らかの他の適切なエア・インターフェース規格で実現することができる。ＴＤＭＡシステムは、移動体通信のための全世界システム（ＧＳＭ（登録商標））、または何らかの他の適切なエア・インターフェース規格で実現することができる。当業者が容易に理解するように、本発明のさまざまな態様は、任意の特定の無線技術および／またはエア・インターフェース規格に限定されない。
【００２８】
[0027] アクセス・ポイントであろうとアクセス端末であろうと、無線ノード（たとえば、１１０、１３０）は、無線ノードを共有無線チャネルにインターフェースで接続するためにすべての物理的および電気的仕様を実現する物理（ＰＨＹ）層と、共有無線チャネルへのアクセスを調整する媒体アクセス制御（ＭＡＣ）層と、例として、音声およびマルチメディア・コーデックおよび画像処理を含むさまざまなデータ処理機能を実行するアプリケーション層とを含む層状構造を利用するプロトコルで実現することができる。さらなるプロトコル層（たとえば、ネットワーク層、トランスポート層）は、特定のアプリケーションのために利用可能であり得る。いくつかの構成において、無線ノードは、アクセス・ポイントとアクセス端末、または２つのアクセス端末間の中継点として動作し得るので、アプリケーション層は使用しない。当業者は、システム全体に課せられる全体的な設計制約および特定のアプリケーションに依存して、任意の無線ノードのための適切なプロトコルを容易に実現することができるだろう。
【００２９】
[0028] 図２を参照して、フローチャートは、ここに記述されている主題に従って、実施可能なさまざまな方法の態様を定義する。説明の簡単な目的のために、方法は一連の動作として示され、説明されているが、いくつかの動作はここに示され、説明されているものとは異なる順序で、および／または他の動作と同時に起こり得るので、特許請求されている主題は、動作の順序によって限定されないということを理解および認識すべきである。たとえば、当業者は、方法は状態図のような一連の相関状態またはイベントとして代わりに表現されることができるということを理解し、認識するだろう。さらに、すべての例示された動作が、特許請求されている主題に従って、方法を実現するために要求され得ることはない。さらに、以下に開示され、本明細書全体にわたる方法は、そのような方法をコンピュータに移送および転送することを容易にするために、製品に記憶されることが可能であることがさらに認識されるべきである。ここで使用されるように、用語の製品は、任意のコンピュータ可読デバイスまたは媒体からアクセス可能なコンピュータ・プログラムを含むことが意図される。
【００３０】
[0029] 図２を参照して、ＡＰおよびＳＴＡ間の通信が、ＳＴＡにおいて観測された干渉（たとえば、周期的な干渉）を低減し、最小限にし、または回避することができる処理２００が図示されている。ブロック２０２において、処理は干渉インジケータを受信することを含み得る。たとえば、一態様において、ＡＰは、ＳＴＡにおいて観測された干渉に基づいて、ＳＴＡから干渉インジケータを受信し得る。そのような１つの態様において、干渉は、周期的な干渉であり得る。一態様において、干渉インジケータは、ＳＰ終了時間インジケータを含み、ここにおいて、ＳＰ終了時間インジケータは、トリガ・フレーム送信時間に関連し得る。そのような一態様において、トリガ・フレームはＵ−ＡＰＳＤ共存フレームを含み得る、またはＵ−ＡＰＳＤ共存フレームであり得る。別の態様において、干渉インジケータは、タイミング同期機能（ＴＳＦ）によって定義され得るＳＰ持続時間を含み得る。一態様において、ＴＳＦは、ＡＰによるブロードキャストおよび複数の局として知られているタイミング値またはタイマを含み得る。そのような１つの態様において、ＡＰはＴＳＦを周期的にブロードキャストし得る。別の態様において、ＴＳＦは、マイクロセカンドの単位を通して定義され得る。また、他の態様において、干渉インジケータは、ＳＴＡからの干渉スケジュールを含み得る。たとえば、干渉スケジュールは、ＳＴＡにおける１つ以上の干渉時間期間に対応するタイミング情報を含み得る。いくつかのケースにおいて、干渉スケジュールは、ＴＳＦに関連するオフセットまたは干渉の発生前のインターバルを含み得る、またはＴＳＦに関連するオフセットまたは干渉の発生前のインターバルによって定義され得る。
【００３１】
[0030] ブロック２０４において、処理は、干渉インジケータからサービス期間の終了時間を決定することを含み得る。たとえば、一態様において、ＡＰは、ＳＰ終了時間インジケータまたはＳＰ持続時間に基づいて、ＳＰの終了までの残り時間を決定し得る。さらに、たとえば、別の態様において、ＡＰは、干渉スケジュールに基づいて、ＳＰの終了までの残り時間を決定し得る。
【００３２】
[0031] ブロック２０６では、オプションの態様において、処理は、サービス期間の終了時間に、またはサービス期間の終了時間の前にサービス期間を終了させることを含み得る。
【００３３】
[0032] ブロック２０８では、別のオプションの態様において、処理は、サービス期間の終了時間にサービス期間の終了を決定することを暗に含み得る。
【００３４】
[0033] 図３を参照して、（必ずしも縮尺通りではない）タイムライン３００は、ＳＴＡによって観測された干渉３０４だけでなく、上述された干渉回避処理に関するｙ軸上に伸びるある特定のシグナリング、およびｘ軸上に進行している時間３０２をも含む。一態様において、干渉は、周期的な干渉であり得る。１つの態様において、ＡＰは、干渉開始時間のスケジュールが提供され得る。１つの態様において、干渉開始時間のスケジュールは、オフセットおよびインターバルを含み得る。そのような一態様において、オフセットは、第１の干渉期間３０４が生じ、ＴＳＦ０と呼ばれる初期時間値「０」等におけるタイミング同期機能３１４に関するオフセットを示し得る。さらに、インターバルは、干渉期間の開始から次の周期的な干渉３０４の発生までの時間期間を示し得る。さらに、オフセットおよびインターバルのパラメータは、アクセス・ポイントが、ＴＳＦ３１４の任意の値において干渉期間３０４の開始を決定することを可能にし得る。
【００３５】
[0034] 一例において、アクセス・ポイント（ＡＰ）が、時間Ｔtrigger、すなわち３０８、においてトリガ・フレーム３０６を受信する場合、その後、次の干渉の発生３０４の開始時間３１０への持続時間Ｄ、すなわち時間期間３１２は、以下のように計算され得る：
Ｄ＝インターバル−（Ｔtrigger−オフセット）ｍｏｄインターバル
[0035] 上記に図示されるように、Ｄ、インターバル、Ｔtrigger、およびオフセットは、ミリセカンド（ｍｓ）等のような単位を使用して測定され得る。さらに、ＡＰは、Ｅ＝Ｔtrigger＋Ｄに、またはＥ＝Ｔtrigger＋Ｄの前にサービス期間３１３を終了させることを試みることができる。一態様において、サービス期間３１３は、１つ以上のダウンリンクの個々にアドレスされたフレーム（downlink individually addressed frames）がＳＴＡに送信され得る、および／または１つ以上の送信機会（ＴＸＯＰｓ：transmission opportunities）が同一のＳＴＡに与えられる連続時間を含み得る。ＳＰｓは、スケジュールされ得る、または不定期であり得る。そのような１つの態様において、不定期のサービス期間は、ＳＴＡがトリガ・フレームをＡＰに送信し得る場合に開始され得る時間期間を含み得る。言い換えれば、ＳＰ３１３が終了されるべきである、またはＳＰ３１３が暗に終了する場合の時間Ｅ、すなわち３１０は、以下のように計算され得る：
Ｅ＝Ｔtrigger＋インターバル−（Ｔtrigger−オフセット）ｍｏｄインターバル
[0036] 言い換えれば、一態様において、ＳＰ３１３の終了時間Ｅ、すなわち３１０（たとえば、次の干渉の発生３０４の開始時間）は、トリガ・フレーム３０６が送信された時間Ｔtrigger３０８に関連する持続時間Ｄ３１２として示され得るが、一方で、別の態様において、ＳＰ３１３の終了時間Ｅ、すなわち３１０は、時間Ｅ３１０を表わす、または時間Ｅ３１０に対応するＴＳＦ値の観点で示され得る。さらに、トリガ・フレーム３０６は、Ｍａｘ ＳＰ ＴＳＦと呼ばれ得るＳＰ３１３のような、サービス期間の終了時間Ｅ（または持続時間Ｄ）を含むＵ−ＡＰＳＤ共存フレームを含み得る、またはＵ−ＡＰＳＤ共存フレームであり得る。
【００３６】
[0037] Ｕ−ＡＰＳＤ共存アクション・フレーム（U-APSD Coexistence Action frame）例は、以下のように示される：
【表１】
2013541292.tif 000003
【００３７】
[0038] Ｕ−ＡＰＳＤ共存フレームは、集約されたメディア・アクセス制御プロトコル・データ・ユニット（Ａ−ＭＰＤＵ：Aggregated Media Access Control Protocol Data Unit）を使用したデータ・フレームで集約され得る。上述したように、Ｍａｘ ＳＰ ＴＳＦフィールドは、時間の単位（たとえば、ミクロセカンド）において定義され得る。
【００３８】
[0039] ＡＰは、トリガ・フレーム３０６を受信次第、この計算を実行し得る。一態様において、ＡＰは、干渉期間（たとえば、各干渉３０４の開始時間から終了時間）の開始ごとに信号を送るタイマを維持しないので、そのようなものとして、タイマはＡＰで実現するのに不便である。従って、ＡＰは、ＳＴＡごとに利用可能なＳＰｓを計算しない。
【００３９】
[0040] なお図１を参照しながら、ここで図４も参照すると、無線通信デバイス１１０または１３０（図１）のアーキテクチャ例が例示されている。図４に図示されるように、無線通信デバイス４００は、たとえば、受信アンテナ（図示せず）から信号を受信し、受信された信号で一般的な動作（たとえば、フィルタ、増幅、ダウンコンバート等）を実行し、調整された信号をデジタル化してサンプルを得る受信機４０２を含む。受信機４０２は、受信されたシンボルを復調し、それらをチャネル推定のためにプロセッサ４０６に提供し得る復調器４０４を含み得る。さらに、受信機４０２は、複数の通信プロトコルを使用して複数のネットワークから信号を受信し得る。一態様において、受信機４０２は、ＣＤＭＡ、ＷＣＤＭＡ、ＴＤＭＡ、ＴＤ−ＳＣＤＭＡ、ＵＭＴＳ、ＩＰ、ＧＳＭ、ＬＴＥ、ＷｉＭａｘ、ＵＭＢ、ＥＶ−ＤＯ、８０２．１１、ＢＬＵＥＴＯＯＴＨ（登録商標）、等のうちの少なくとも１つを使用してネットワークから信号を受信し得る。
【００４０】
[0041] プロセッサ４０６は、受信機４０２によって受信された情報を分析する、および／または送信機４２０による送信のための情報を生成する専用のプロセッサ、無線通信デバイス４００の１つ以上のコンポーネントを制御するプロセッサ、および／または、受信機４０２によって受信された情報を分析し、送信機４２０による送信のための情報を生成し、無線通信デバイス４００の１つ以上のコンポーネントを制御する両方のプロセッサであり得る。さらに、信号は、プロセッサ４０６によって処理された信号を変調し得る変調器４１８を通して、送信機４２０による送信のために備えられ得る。
【００４１】
[0042] プロセッサ４０６は、干渉インジケータを受信するための手段と、干渉インジケータからサービス期間の終了時間を決定するための手段を提供するように動作可能であり得る。プロセッサ４０６は、上述された手段のうちの１つ以上を実行することができる少なくとも１つのプロセッサをさらに含み得る。
【００４２】
[0043] 無線通信デバイス４００は、さらにメモリ４０８を含み、それは、プロセッサ４０６に位置し、および／または動作可能に結合され、送信されるデータ、受信されたデータ、利用可能なチャネルに関連する情報、分析された信号および／または干渉強度に関連付けられたデータ、割当てられたチャネル、電力、レート、または同様のものに関連する情報、および、チャネルの推定およびチャネルを介した通信のために任意の他の適切な情報を記憶し得る。メモリ４０８は、（たとえば、パフォーマンス・ベース、キャパシティ・ベース、等の）チャネルの推定および／または利用に関連付けられたプロトコルおよび／またはアルゴリズムを実現するために命令をさらに記憶し得る。
【００４３】
[0044] ここに記述されているデータ記憶装置（たとえば、メモリ４０８）は、揮発性メモリまたは不揮発性メモリのいずれかであり得る、または揮発性メモリと不揮発性メモリの両方を含み得るということが理解されるだろう。限定ではなく例示として、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、またはフラッシュメモリを含み得る。揮発性メモリは、外部キャッシュ・メモリとして動作するランダム・アクセス・メモリ（ＲＡＭ）を含み得る。限定ではなく例示として、ＲＡＭは、同期ＲＡＭ（ＳＲＡＭ）、動的ＲＡＭ（ＤＲＡＭ）、同期ＤＲＡＭ（ＳＤＲＡＭ）、ダブル・データ・レートＳＤＲＡＭ（ＤＤＲＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）（登録商標）のような、多くの形態で利用可能である。主題となるシステムおよび方法のメモリ４０８は、限定される訳ではないが、これらおよび任意の他の適切なタイプのメモリを含み得る。
【００４４】
[0045] 無線通信デバイス４００は、通信を支援するために通信モジュール４３０をさらに含み得る。一態様において、通信モジュール４３０は、上述された干渉シグナリング機能を実行する干渉シグナリング・モジュール１３２を含み得る。たとえば、干渉シグナリング・モジュール１３２は、処理２００を実行し得る。干渉シグナリング・モジュール１３２は、無線通信デバイス４００上の別個のコンポーネント、または通信モジュール４３０の一部、またはメモリ４０８の一部、またはプロセッサ４０６の一部、またはそれらの任意の組み合わせであり得る。
【００４５】
[0046] さらに、無線通信デバイス４００は、ユーザ・インタフェース４４０を含み得る。ユーザ・インタフェース４４０は、通信デバイス４００の中に入力を生成するための入力機構４４２、および通信デバイス４００のユーザによる消費に対して情報を生成するための出力機構４４４を含み得る。たとえば、入力機構４４２は、キーまたはキーボード、マウス、タッチ・スクリーン・ディスプレイ、マイクロフォン、等のような機構を含み得る。さらに、たとえば、出力機構４４４は、ディスプレイ、オーディオ・スピーカ、触力覚（haptics）フィードバック機構、パーソナル・エリア・ネットワーク（ＰＡＮ）トランシーバ、等を含み得る。図示される態様において、出力機構４４４は、画像またはビデオ形式においてメディア・コンテンツを提示するように動作可能なディスプレイ、またはオーディオ形式においてメディア・コンテンツを提示するためのオーディオ・スピーカを含み得る。
【００４６】
[0047] 図５を参照して、干渉回避機能を備えたアクセス・ポイント１２０（図１）の一態様のアーキテクチャ例が例示されている。アクセス・ポイント５００は、任意のタイプのハードウェア、サーバ、パーソナル・コンピュータ、ミニ・コンピュータ、大型汎用コンピュータ、または、ここに記述されている機能を実行するようにプログラムされた特殊用途あるいは汎用コンピューティング・デバイスのいずれかの任意のコンピューティング・デバイスのうちの少なくとも１つを含み得る。さらに、アクセス・ポイント５００によって動作または実行されているように、ここに記述されているモジュールおよびアプリケーションは、単一ネットワーク・デバイス上で完全に実行され得る、あるいは、他の態様において、別々のサーバ、データベース、またはコンピュータ・デバイスは、デバイスに使用可能な形式でデータを提供するために、および／または、アクセス・ポイント５００によって実行された通信デバイス１１０、１３０とモジュールとアプリケーションとの間のデータ・フロー中の制御の別個の層を提供するために、協調（concert）して動作し得る。
【００４７】
[0048] アクセス・ポイント５００は、有線および無線ネットワークをわたってデータを送信および受信し、ルーチンおよびアプリケーションを実行し得るコンピュータ・プラットフォーム５０２を含み得る。コンピュータ・プラットフォーム５０２は、読み出し専用および／またはランダム・アクセス・メモリ（ＲＯＭおよびＲＡＭ）、ＥＰＲＯＭ、ＥＥＰＲＯＭ、フラッシュ・カード、またはコンピュータ・プラットフォームに共通の任意のメモリのような揮発性メモリおよび不揮発性メモリを含み得るメモリ５０４を含み得る。さらに、メモリ５０４は、1つ以上のフラッシュ・メモリ・セルを含み、または磁気メディア、光学メディア、テープ、またはソフトまたはハード・ディスクのような任意の第２または第３の記憶デバイスであり得る。さらに、コンピュータ・プラットフォーム５０２は、また、特定用途向け集積回路（「ＡＳＩＣ」）、または他のチップセット、論理回路、または他のデータ処理デバイスであり得るプロセッサ５３０を含み得る。プロセッサ５３０は、ハードウェア、ファームウェア、ソフトウェア、およびそれらの組み合わせにおいて具現化されたさまざまな処理サブシステム５３２を含み、それは、アクセス・ポイント５００の機能性および、有線または無線ネットワークでのネットワーク・デバイスの動作性を可能にする。
【００４８】
[0049] プロセッサ５３０は、干渉インジケータを受信するための手段と、干渉インジケータからサービス期間の終了時間を決定するための手段を提供するように動作可能であり得る。プロセッサ５３０は、上述された手段を実行することができる少なくとも１つのプロセッサをさらに含み得る。
【００４９】
[0050] コンピュータ・プラットフォーム５０２は、ハードウェア、ファームウェア、ソフトウェア、およびそれらの組み合わせにおいて具現化された通信モジュール５５０をさらに含み、それはアクセス・ポイント５００だけでなく、アクセス・ポイント５００とデバイス１１０、１３０との間のさまざまなコンポーネントの間の通信を可能にする。通信モジュール５５０は、無線通信接続を確立するために必要なハードウェア、ファームウェア、ソフトウェア、および／またはそれらの組み合わせを含み得る。
【００５０】
[0051] コンピュータ・プラットフォーム５０２は、アクセス・ポイント５００が、図１におけるＳＴＡｓ１１０および１３０のような１つ以上のＳＴＡｓとの通信における干渉を低減または回避することを支援するために動作可能なサービス期間（ＳＰ）決定モジュール１３４をさらに含み得る。一態様において、ＳＰ決定モジュール１３４は、ＳＴＡとの通信における干渉を低減および回避するために、ここに記述されている機能性のすべてまたはいくつかの部分を実行し得る。たとえば、ＳＰ決定モジュール１３４は、処理２００のすべてまたはいくつかを実行し得る。
【００５１】
[0052] 図６を参照して例示されているのは、一態様に従って、干渉を低減するためのシステム６００である。たとえば、システム６００は、ＷＣＤ、ＵＥ、等の中に少なくとも部分的に存在することができる。別の例示的な態様に従って、システム６００は、アクセス・ポイント内に少なくとも部分的に存在することができる。システム６００は、機能ブロックを含むものとして表され、それは、プロセッサ、ソフトウェア、またはそれらの組み合わせ（たとえば、ファームウェア）によって実現される機能を表す機能ブロックであり得るということを理解すべきである。
【００５２】
[0053] システム６００は、共に動作できる手段からなる論理グループ６０２を含む。たとえば、論理グループ６０２は、ＳＴＡ６０４から干渉インジケータを受信するための手段を含むことができる。一態様において、システム６００は、８０２．１１ｖプロトコルを使用して干渉インジケータを受信し得る。一態様において、干渉インジケータは、サービス期間の終了時間のための時間インジケーションを含み得る。別の態様において、時間インジケーションは、ＳＴＡにおける干渉より前の時間に、または同時にＳＴＡによって決定され得る。別の態様において、時間インジケーションは、トリガリング・フレーム送信の送信に関連する時間期間を含み得る。別の態様において、トリガ・フレームはＵ−ＡＰＳＤ共存フレームを含み得る。さらに別の態様において、時間インジケーションは、ＴＳＦを含み得る。別の態様において、干渉インジケータは、ＳＴＡにおける１つ以上の干渉の開始時間のスケジュールを含み得る。そのような１つの態様において、スケジュールは、ＴＳＦに関連するオフセット、１つ以上の干渉の開始時間の発生の間のインターバル、等を含み得る。さらに、論理グループ６０２は、干渉インジケータ６０６からサービス期間の終了時間を決定するための手段を含むことができる。一態様において、受信するための手段および／または決定するための手段は、第２のＳＴＡ、アクセス・ポイント、等のうちの少なくとも１つによって実行され得る。
【００５３】
[0054] さらに、システム６００は、手段６０４および６０６に関連付けられた機能を実行するための命令を保持するメモリ６０８を含むことができる。手段６０４および６０６の１つ以上は、メモリ６０８の外部にあるように示されるが、メモリ６０８内に存在することができるということを理解すべきである。
【００５４】
[0055] 当業者は、システム全体に課せられる全体的な設計制約および特定のアプリケーションに依存して、本開示の全体にわたって提示される記述された機能性をどのように最良に実現するかを認識するだろう。
【００５５】
[0056] ソフトウェア・モジュールのコンテキストにおいて記述された任意のステップの具体的な順序または階層は、無線ノードの例を提供するために提示されていることが理解される。設計選択に基づいて、ステップの具体的な順序または階層は、本発明の範囲内であることを保ちながら、再構成され得るということが理解される。
【００５６】
[0057] 先の説明は、いずれの当業者にも本開示の全範囲を十分に理解することができるように提供されている。ここに開示されたさまざまな構成に対する変更は、当業者に容易に理解されるだろう。したがって、請求項は、ここに記述された開示のさまざまな態様に限定されることは意図しておらず、請求項の言語と一致する全範囲が付与されることを意図し、単数における要素への言及は、特にそうであるとの記載がない限り、「１つ、および１つのみ」という意味を意図するのではなく、「１つ以上の」という意味を意図する。特にそうでないとの記載がない限り、「いくつかの」という用語は、１つ以上の、を意味する。要素の組み合わせのうちの少なくとも１つ（たとえば、Ａ、Ｂ、またはＣのうちの少なくとも１つ）と記載する請求項は、記載されている要素の１つ以上（たとえば、ＡまたはＢまたはＣ、または、これらの任意の組み合わせ）を意味する。当業者に周知の、または後に周知になる、この開示全体を通して説明されるさまざまな態様の要素の構造上および機能上のすべての同等物は、引用によってここに明確に組み込まれ、請求項によって含まれることを意図する。さらに、ここに開示されたものはいずれもそのような開示が請求項において明確に記載されているかどうかに関わらず、公に献呈されるものと意図されない。請求項の要素はいずれも、要素が「〜のための手段」というフレーズを使用して明確に記載されない限り、または、方法の請求項の場合には、要素が「〜のためのステップ」というフレーズを使用して記載されない限り、３５ Ｕ.Ｓ.Ｃ. §１１２、第６段落の規定のもとで解釈されるべきではない。
【００５７】
[0058] １つ以上の例示的な態様において、記述される機能は、ハードウェア、ソフトウェア、ファームウェア、またはそれらの任意の組み合わせで実現され得る。ソフトウェアで実現される場合、機能は、１つ以上の命令またはコードとしてコンピュータ可読媒体で記憶され、送信され得る。コンピュータ可読媒体は、コンピュータ・プログラムをある場所から別の場所への転送を容易にする任意の媒体を含むコンピュータ記憶媒体および通信媒体の両方を含む。記憶媒体は、コンピュータによってアクセスされ得る任意の利用可能な媒体であり得る。限定ではなく例として、そのようなコンピュータ可読媒体は、命令またはデータ構造の形態で所望のプログラム・コードを実行または記憶するために使用され、コンピュータによってアクセスされ得るＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または任意の他の媒体を含み得る。ディスク（disk）およびディスク（disc）は、ここで使用される場合、コンパクト・ディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は通常、磁気的にデータを再生するが、ディスク（disc）は、レーザーを用いて光学的にデータを再生する。上記の組み合わせは、また、コンピュータ可読媒体の範囲内に含まれるべきである。
【図１】
2013541292.tif 000004
【図２】
2013541292.tif 000005
【図３】
2013541292.tif 000006
【図４】
2013541292.tif 000007
【図５】
2013541292.tif 000008
【図６】
2013541292.tif 000009
【手続補正書】
【提出日】平成25年5月15日(2013.5.15)
【手続補正１】
【補正対象書類名】特許請求の範囲
【補正対象項目名】全文
【補正方法】変更
【補正の内容】
【特許請求の範囲】
【請求項１】
局（ＳＴＡ）から干渉インジケータを受信することと、
前記干渉インジケータからサービス期間の終了時間を決定することと、
前記サービス期間の終了時間の前に、サービス期間を終了させること
を備える、干渉を低減する無線通信の方法。
【請求項２】
前記干渉インジケータは、前記サービス期間の終了時間のための時間インジケーションを備える、請求項１に記載の方法。
【請求項３】
前記時間インジケーションは、前記ＳＴＡにおける干渉より前の時間に、または同時に前記ＳＴＡによって決定される、請求項２に記載の方法。
【請求項４】
前記時間インジケーションは、トリガリング・フレームの送信に関連する時間期間を備える、請求項２に記載の方法。
【請求項５】
前記トリガリング・フレームは、Ｕ−ＡＰＳＤ共存フレームを含む、請求項４に記載の方法。
【請求項６】
前記時間インジケーションは、タイミング同期機能（ＴＳＦ）を備える、請求項２に記載の方法。
【請求項７】
前記干渉インジケータは、前記ＳＴＡにおける１つ以上の干渉の開始時間のスケジュールを備える、請求項１に記載の方法。
【請求項８】
前記スケジュールは、
タイミング同期機能（ＴＳＦ）に関連するオフセットまたは、
前記１つ以上の前記干渉の開始時間の発生の間のインターバル
のうちの少なくとも１つを含む、請求項７に記載の方法。
【請求項９】
トリガリング・フレームを受信することをさらに備える、請求項1に記載の方法。
【請求項１０】
前記干渉インジケータがそれから受信される前記ＳＴＡは、アクセス・ポイントを備える、請求項１に記載の方法。
【請求項１１】
コンピュータ・プログラム製品であって、
ＳＴＡから干渉インジケータを受信する、
前記干渉インジケータからサービス期間の終了時間を決定する、
前記サービス期間の終了時間の前に、サービス期間を終了させる
ために実行可能なコードを備えるコンピュータ可読媒体
を備える、コンピュータ・プログラム製品。
【請求項１２】
ＳＴＡから干渉インジケータを受信するための手段と、
前記干渉インジケータからサービス期間の終了時間を決定するための手段と、
前記サービス期間の終了時間の前に、サービス期間を終了させるための手段
を備える、無線通信のための装置。
【請求項１３】
処理システムと、
第１のＳＴＡから干渉インジケータを受信するように構成される受信機と、
前記干渉インジケータからサービス期間の終了時間を決定し、前記サービス期間の終了時間の前に、サービス期間を終了させるように構成され、前記処理システムに結合されるサービス期間決定モジュール
を備える、無線通信のための装置。
【請求項１４】
前記干渉インジケータは、前記サービス期間の終了時間のための時間インジケーションを備える、請求項１３に記載の装置。
【請求項１５】
前記時間インジケーションは、前記第１のＳＴＡにおける干渉より前の時間に、または同時に前記第１のＳＴＡによって決定される、請求項１４に記載の装置。
【請求項１６】
前記時間インジケーションは、トリガリング・フレームの送信に関連する時間期間を備える、請求項１４に記載の装置。
【請求項１７】
前記トリガリング・フレームは、Ｕ−ＡＰＳＤ共存フレームを含む、請求項１６に記載の装置。
【請求項１８】
前記時間インジケーションは、タイミング同期機能（ＴＳＦ）を備える、請求項１４に記載の装置。
【請求項１９】
前記干渉インジケータは、前記第１のＳＴＡにおける1つ以上の干渉の開始時間のスケジュールを備える、請求項１３に記載の装置。
【請求項２０】
前記スケジュールは、
タイミング同期機能（ＴＳＦ）に関連するオフセットまたは、
前記１つ以上の前記干渉の開始時間の発生の間のインターバル
のうちの少なくとも１つを含む、請求項１９に記載の装置。
【請求項２１】
前記サービス期間決定モジュールは、トリガリング・フレームを受信するようにさらに構成される、請求項１３に記載の装置。
【請求項２２】
前記装置は、第２のＳＴＡまたはアクセス・ポイントのうちの少なくとも１つを備える、請求項１３に記載の装置。
【手続補正２】
【補正対象書類名】明細書
【補正対象項目名】００５７
【補正方法】変更
【補正の内容】
【００５７】
[0058]  １つ以上の例示的な態様において、記述される機能は、ハードウェア、ソフトウェア、ファームウェア、またはそれらの任意の組み合わせで実現され得る。ソフトウェアで実現される場合、機能は、１つ以上の命令またはコードとしてコンピュータ可読媒体で記憶され、送信され得る。コンピュータ可読媒体は、コンピュータ・プログラムをある場所から別の場所への転送を容易にする任意の媒体を含むコンピュータ記憶媒体および通信媒体の両方を含む。記憶媒体は、コンピュータによってアクセスされ得る任意の利用可能な媒体であり得る。限定ではなく例として、そのようなコンピュータ可読媒体は、命令またはデータ構造の形態で所望のプログラム・コードを実行または記憶するために使用され、コンピュータによってアクセスされ得るＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または任意の他の媒体を含み得る。ディスク（disk）およびディスク（disc）は、ここで使用される場合、コンパクト・ディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は通常、磁気的にデータを再生するが、ディスク（disc）は、レーザーを用いて光学的にデータを再生する。上記の組み合わせは、また、コンピュータ可読媒体の範囲内に含まれるべきである。
以下に、出願当初の特許請求の範囲に記載された発明を付記する。
［Ｃ１］
局（ＳＴＡ）から干渉インジケータを受信することと、
前記干渉インジケータからサービス期間の終了時間を決定すること
を備える、干渉を低減する無線通信の方法。
［Ｃ２］
前記サービス期間の終了時間に、または前記サービス期間の終了時間の前に、サービス期間を終了させることをさらに備える、Ｃ１に記載の方法。
［Ｃ３］
前記サービス期間の終了時間に、サービス期間の終了を決定することをさらに備える、Ｃ１に記載の方法。
［Ｃ４］
前記干渉インジケータは、前記サービス期間の終了時間のための時間インジケーションを備える、Ｃ１に記載の方法。
［Ｃ５］
前記時間インジケーションは、前記ＳＴＡにおける干渉より前の時間に、または同時に前記ＳＴＡによって決定される、Ｃ４に記載の方法。
［Ｃ６］
前記時間インジケーションは、トリガリング・フレームの送信に関連する時間期間を備える、Ｃ４に記載の方法。
［Ｃ７］
前記トリガリング・フレームは、Ｕ−ＡＰＳＤ共存フレームを含む、Ｃ６に記載の方法。
［Ｃ８］
前記時間インジケーションは、タイミング同期機能（ＴＳＦ）を備える、Ｃ４に記載の方法。
［Ｃ９］
前記干渉インジケータは、前記ＳＴＡにおける１つ以上の干渉の開始時間のスケジュールを備える、Ｃ１に記載の方法。
［Ｃ１０］
前記スケジュールは、
タイミング同期機能（ＴＳＦ）に関連するオフセットまたは、
前記１つ以上の前記干渉の開始時間の発生の間のインターバル
のうちの少なくとも１つを含む、Ｃ９に記載の方法。
［Ｃ１１］
トリガリング・フレームを受信することをさらに備える、Ｃ1に記載の方法。
［Ｃ１２］
前記干渉インジケータがそれから受信される前記ＳＴＡは、アクセス・ポイントを備える、Ｃ１に記載の方法。
［Ｃ１３］
コンピュータ・プログラム製品であって、
ＳＴＡから干渉インジケータを受信する、
前記干渉インジケータからサービス期間の終了時間を決定する
ために実行可能なコードを備えるコンピュータ可読媒体
を備える、コンピュータ・プログラム製品。
［Ｃ１４］
ＳＴＡから干渉インジケータを受信するための手段と、
前記干渉インジケータからサービス期間の終了時間を決定するための手段
を備える、無線通信のための装置。
［Ｃ１５］
処理システムと、
第１のＳＴＡから干渉インジケータを受信するように構成される受信機と、
前記干渉インジケータからサービス期間の終了時間を決定するように構成され、前記処理システムに結合されるサービス期間決定モジュール
を備える、無線通信のための装置。
［Ｃ１６］
前記サービス期間決定モジュールは、前記サービス期間の終了時間に、または前記サービス期間の終了時間の前に、サービス期間を終了させるようにさらに構成される、Ｃ１５に記載の装置。
［Ｃ１７］
前記サービス期間決定モジュールは、前記サービス期間の終了時間に、サービス期間の終了を決定するようにさらに構成される、Ｃ１５に記載の装置。
［Ｃ１８］
前記干渉インジケータは、前記サービス期間の終了時間のための時間インジケーションを備える、Ｃ１５に記載の装置。
［Ｃ１９］
前記時間インジケーションは、前記第１のＳＴＡにおける干渉より前の時間に、または同時に前記第１のＳＴＡによって決定される、Ｃ１８に記載の装置。
［Ｃ２０］
前記時間インジケーションは、トリガリング・フレームの送信に関連する時間期間を備える、Ｃ１８に記載の装置。
［Ｃ２１］
前記トリガリング・フレームは、Ｕ−ＡＰＳＤ共存フレームを含む、Ｃ２０に記載の装置。
［Ｃ２２］
前記時間インジケーションは、タイミング同期機能（ＴＳＦ）を備える、Ｃ１８に記載の装置。
［Ｃ２３］
前記干渉インジケータは、前記第１のＳＴＡにおける1つ以上の干渉の開始時間のスケジュールを備える、Ｃ１５に記載の装置。
［Ｃ２４］
前記スケジュールは、
タイミング同期機能（ＴＳＦ）に関連するオフセットまたは、
前記１つ以上の前記干渉の開始時間の発生の間のインターバル
のうちの少なくとも１つを含む、Ｃ２３に記載の装置。
［Ｃ２５］
前記サービス期間決定モジュールは、トリガリング・フレームを受信するようにさらに構成される、Ｃ１５に記載の装置。
［Ｃ２６］
前記装置は、第２のＳＴＡまたはアクセス・ポイントのうちの少なくとも１つを備える、Ｃ１５に記載の装置。
【国際調査報告】
2013541292.tif 000010
2013541292.tif 000011
2013541292.tif 000012